(57)【要約】【課題】着用者の幅広い動きや機敏な動きに対する高い追随性を有し、着用者に高いパフォーマンスを発揮させることが可能な伸縮性を有するスポーツウェアを提供する。また、衣類や衣類以外の用途（例えば、靴、鞄、財布等の小物、各種包装資材）にも適用できるスライドファスナーを提供する。【解決手段】伸縮性スポーツウェアにおいて、スライドファスナーの開離嵌挿具の枢止体を有する側の身頃と基材テープが接合された箇所における生地全体の厚みが、嵌込体を有する側の身頃と基材テープが接合された箇所における生地全体の厚みよりも厚い。また、スライドファスナーの枢止体は、少なくとも短側部、該短側部と連続する底部、該底部と連続する長側部、及び短側部上端と該短側部上端に最も近い長側部との間に形成される開口を有し、該開口の幅は、底部方向に向かって広くなる区間を有する。【選択図】図２
2016123783.tif 000002
【特許請求の範囲】
【請求項１】
上半身に着用する伸縮性スポーツウェアであって、
前記スポーツウェアは、身頃とスライドファスナーを有しており、
前記スライドファスナーは、右側基材テープ、該右側基材テープに設けられた右側エレメント列、左側基材テープ、該左側基材テープに設けられた左側エレメント列、スライダー、及び開離嵌挿具を含み、
前記右側エレメント列及び前記左側エレメント列は、前記スライダーに挿通され、
前記開離嵌挿具は、右側または左側基材テープに設けられた嵌込体、及び左側または右側基材テープに設けられた枢止体を有し、
前記嵌込体は円柱形の被枢止部を有し、
前記枢止体は、前記嵌込体の被枢止部を嵌挿または脱離可能とし、
さらに、前記身頃を構成する生地と前記右側基材テープ、前記生地と前記左側基材テープとがそれぞれ接合されており、前記枢止体を有する側の前記接合された箇所における生地全体の厚みが、前記嵌込体を有する側の前記接合された箇所における生地全体の厚みよりも厚いことを特徴とする伸縮性スポーツウェア。
【請求項２】
前記右側基材テープ及び前記左側基材テープは、前記生地よりも伸縮率が小さい請求項１に記載の伸縮性スポーツウェア。
【請求項３】
前記右側基材テープ及び前記左側基材テープは、前記生地よりも剛性が高い請求項１に記載の伸縮性スポーツウェア。
【請求項４】
前記身頃において、前記枢止体を有する側に帯状の当て布が形成されている請求項１から３のいずれか１項に記載の伸縮性スポーツウェア。
【請求項５】
前記当て布は、前記生地を少なくとも袋状に二回折り返す構成を有する請求項４に記載の伸縮性スポーツウェア。
【請求項６】
前記開離嵌挿具の下端は、前記左右一対の前記基材テープの下端に対して下に突出した状態で構成され、かつ、前記基材テープに縫い付けてある前記生地の下端は、前記開離嵌挿具の下端に対して下に突出した状態で構成されている請求項１から５のいずれか１項に記載の伸縮性スポーツウェア。
【請求項７】
前記伸縮性スポーツウェアは、セパレートタイプの水着の上衣である請求項１から６のいずれか１項に記載の伸縮性スポーツウェア。
【請求項８】
スライドファスナーであって、
前記スライドファスナーは、右側基材テープ、該右側基材テープに設けられた右側エレメント列、左側基材テープ、該左側基材テープに設けられた左側エレメント列、スライダー、及び開離嵌挿具を含み、
前記右側エレメント列及び前記左側エレメント列は、前記スライダーに挿通され、
前記開離嵌挿具は、右側または左側基材テープに設けられた嵌込体、及び左側または右側基材テープに設けられた枢止体を有し、
前記嵌込体は円柱形の被枢止部を有し、
前記枢止体は、前記嵌込体の被枢止部を嵌挿または脱離可能とし、
さらに、前記枢止体は、少なくとも短側部、該短側部と連続する底部、該底部と連続する長側部、及び短側部上端と該短側部上端に最も近い長側部との間に形成される開口を有し、
該開口の幅は、底部方向に向かって広くなる区間を有することを特徴とするスライドファスナー。
【請求項９】
前記枢止体の開口部における前記短側部と前記長側部との間隔は、少なくとも前記被枢止部の円柱形断面の外径に対して０．８倍から１倍である請求項８に記載のスライドファスナー。
【請求項１０】
前記被枢止部と前記枢止体には、それぞれ極性の異なる磁石を含む請求項８または９に記載のスライドファスナー。
【請求項１１】
前記スライダーは、柱、胴体、引手、及びスライダー肩口を有する請求項８から１０のいずれか１項に記載のスライドファスナー。
【発明の詳細な説明】
【技術分野】
【０００１】
本発明は、上半身に着用する水着等の伸縮性を有するスポーツウェアに関する。また、該スポーツウェアに適用できるだけでなく、他の衣類や、衣類以外の用途（例えば、靴、鞄、財布等の小物、各種包装資材）にも適用できるスライドファスナーに関する。
【背景技術】
【０００２】
最近、高齢者をはじめとする健康志向の高まりにより、膝、腰の関節への負担が小さく、高負荷の運動を行うことが可能な水中でのウオーキングやアクアビクス等が注目されている。この水中での運動用の水着として、着脱が容易で、上半身と下半身にそれぞれ着用するセパレートタイプの水着が知られている（例えば、特許文献１）。このセパレートタイプの水着は、該水着の上半身部（以下、上衣という）の前方側を開放して容易に着脱できるようにスライドファスナーが設けられており、上衣の着脱が容易になっている。
【０００３】
また、従来の、上から嵌込体を嵌め込み部に挿入するスライドファスナーに対して、上からだけでなく横からも差込操作が可能なファスナー（以下、２ウエイファスナーという）が知られている。この２ウエイファスナーは、例えばスキー等のグローブをはめたままで操作が可能のように、小さな子供や高齢者が非常に簡単に操作できるといわれている（例えば、特許文献２）。
【先行技術文献】
【特許文献】
【０００４】
【特許文献１】実用新案登録第３１５８７５９号公報
【特許文献２】特開２００８−４３５６８号公報
【発明の概要】
【発明が解決しようとする課題】
【０００５】
一般に、水着は生地を伸ばした状態で着用するため、スライドファスナーを有するセパレートタイプの水着においては、該スライドファスナーを身頃の中央に引っ張り寄せながら装着する必要があり、左右の身頃を引っ張り寄せながら近付けた後、上下に面してスライドファスナーの嵌め込み部に嵌め込まなければならなかった。したがって、例えば着用者が該水着を着用する場合には、スライドファスナーの操作が煩わしいという問題があった。
【０００６】
また、特許文献２に記載の２ウエイファスナーは、着用者の幅広い動きや機敏な動きに対する追随性に課題を残しており、該２ウエイファスナーを開閉する際に、開離嵌挿具が外れてしまうという問題があった。
【０００７】
本発明は、以上のような従来の課題を考慮してなされたものであり、着用者の幅広い動きや機敏な動きに対する高い追随性を有し、着用者に高いパフォーマンスを発揮させることが可能な伸縮性を有するスポーツウェアにおいて、着用者にとって着用しやすいスポーツウェアを提供することを目的とする。また、該伸縮性を有するスポーツウェアに適用できるだけでなく、他の衣類や、衣類以外の用途（例えば、靴、鞄、財布等の小物、各種包装資材）にも適用でき、着用者が取付けやすいスライドファスナーを提供することを目的とする。
【課題を解決するための手段】
【０００８】
上記課題を解決し得た本発明の伸縮性スポーツウェアは、上半身に着用する伸縮性スポーツウェアであって、前記スポーツウェアは、身頃とスライドファスナーを有しており、前記スライドファスナーは、右側基材テープ、該右側基材テープに設けられた右側エレメント列、左側基材テープ、該左側基材テープに設けられた左側エレメント列、スライダー、及び開離嵌挿具を含み、前記右側エレメント列及び前記左側エレメント列は、前記スライダーに挿通され、前記開離嵌挿具は、右側または左側基材テープに設けられた嵌込体、及び左側または右側基材テープに設けられた枢止体を有し、前記嵌込体は円柱形の被枢止部を有し、前記枢止体は、前記嵌込体の被枢止部を嵌挿または脱離可能とし、さらに、前記身頃を構成する生地と前記右側基材テープ、前記生地と前記左側基材テープとがそれぞれ接合されており、前記枢止体を有する側の前記接合された箇所における生地全体の厚みが、前記嵌込体を有する側の前記接合された箇所における生地全体の厚みよりも厚い点に特徴を有する。
【０００９】
上記伸縮性スポーツウェアにおいて、前記右側基材テープ及び前記左側基材テープは、前記生地よりも伸縮率が小さいことが好ましい。
【００１０】
上記伸縮性スポーツウェアにおいて、前記右側基材テープ及び前記左側基材テープは、前記生地よりも剛性が高いことが好ましい。
【００１１】
上記伸縮性スポーツウェアは、前記身頃において前記枢止体を有する側に帯状の当て布が形成されていることが好ましい。
【００１２】
上記伸縮性スポーツウェアにおいて、前記当て布は、前記生地を少なくとも袋状に二回折り返す構成を有することが好ましい。
【００１３】
上記伸縮性スポーツウェアにおいて、前記開離嵌挿具の下端は、前記左右一対の前記基材テープの下端に対して下に突出した状態で構成され、かつ、前記基材テープに縫い付けてある前記生地の下端は、前記開離嵌挿具の下端に対して下に突出した状態で構成されていることが好ましい。
【００１４】
上記伸縮性スポーツウェアは、セパレートタイプの水着の上衣であることが好ましい。
【００１５】
次に、本発明のスライドファスナーは、右側基材テープ、該右側基材テープに設けられた右側エレメント列、左側基材テープ、該左側基材テープに設けられた左側エレメント列、スライダー、及び開離嵌挿具を含み、前記右側エレメント列及び前記左側エレメント列は、前記スライダーに挿通され、前記開離嵌挿具は、右側または左側基材テープに設けられた嵌込体、及び左側または右側基材テープに設けられた枢止体を有し、前記嵌込体は円柱形の被枢止部を有し、前記枢止体は、前記嵌込体の被枢止部を嵌挿または脱離可能とし、さらに、前記枢止体は、少なくとも短側部、該短側部と連続する底部、該底部と連続する長側部、及び短側部上端と該短側部上端に最も近い長側部との間に形成される開口を有し、該開口の幅は、底部方向に向かって広くなる区間を有する点に特徴を有する。
【００１６】
上記スライドファスナーにおいて、前記枢止体の開口部における前記短側部と前記長側部との間隔は、少なくとも前記被枢止部の円柱形断面の外径に対して０．８倍から１倍であることが好ましい。
【００１７】
上記スライドファスナーにおいて、前記被枢止部と前記枢止体には、それぞれ極性の異なる磁石を含むことが好ましい。
【００１８】
上記スライドファスナーにおいて、前記スライダーは、柱、胴体、引手、及びスライダー肩口を有することが好ましい。
【発明の効果】
【００１９】
本発明の伸縮性スポーツウェアによれば、右側及び左側の生地を引っ張りながら近付けた後、該生地を上下に大きくずらすことなく、嵌込体を開離嵌挿具の側部からそのまま嵌め込むことができることから、着用者は当該スポーツウェアを容易に着用できる。また、枢止体を有する側の身頃を構成する生地と基材テープとが接合された箇所における生地全体の厚みが、嵌込体を有する側の身頃を構成する生地と基材テープとが接合された箇所における生地全体の厚みよりも厚いことから、スライドファスナーの受け側に相当する枢止体を確実に手で支えることができる。この構成により、スライドファスナーを安定した状態で着止することが可能となる。
【００２０】
また、本発明のスライドファスナーによれば、少なくとも短側部、該短側部と連続する底部、該底部と連続する長側部、及び短側部上端と該短側部上端に最も近い長側部との間に形成される開口を有し、該開口の幅は、底部方向に向かって広くなる区間を有することから、円柱形の被枢止部が一旦枢止体に嵌挿されると、該被枢止部は該枢止体から外れにくく、安定した嵌挿状態を保つことができる。すなわち、本発明のスライドファスナーを用いることで、小さな子供や高齢者でも簡単に操作することが可能であり、安心して該スライドファスナーを使用することができる。
【図面の簡単な説明】
【００２１】
【図１】本発明の実施の形態１に係る水着の上衣を示す全体図である。
【図２】本発明の実施の形態１に係る水着の上衣のスライドファスナーを示す図である。
【図３】本発明の実施の形態１に係る水着の身頃を構成する生地と基材テープとの接合箇所における断面図である。
【図４】本発明の実施の形態１に係る水着の上衣における当て布を示す図である。
【図５】本発明の実施の形態１に係る水着の上衣のスライドファスナーにおける開離嵌挿具の下端、生地の下端を示す図である。
【図６】本発明の実施の形態２に係るスライドファスナーにおける開離嵌挿具の枢止体を示す図である。
【発明を実施するための形態】
【００２２】
以下、本発明の実施形態に係る伸縮性スポーツウェアとスライドファスナーについて、図面を参照しながら説明する。なお、以下の説明では、同一の部品には同一の符号を付してある。
【００２３】
（実施の形態１）
本発明の伸縮性スポーツウェアは、上半身に着用する伸縮性スポーツウェアであって、前記スポーツウェアは、身頃とスライドファスナーを有しており、前記スライドファスナーは、右側基材テープ、該右側基材テープに設けられた右側エレメント列、左側基材テープ、該左側基材テープに設けられた左側エレメント列、スライダー、及び開離嵌挿具を含み、前記右側エレメント列及び前記左側エレメント列は、前記スライダーに挿通され、前記開離嵌挿具は、右側または左側基材テープに設けられた嵌込体、及び左側または右側基材テープに設けられた枢止体を有し、前記嵌込体は円柱形の被枢止部を有し、前記枢止体は、前記嵌込体の被枢止部を嵌挿または脱離可能とし、さらに、前記身頃を構成する生地と前記右側基材テープ、前記生地と前記左側基材テープとがそれぞれ接合されており、前記枢止体を有する側の前記接合された箇所における生地全体の厚みが、前記嵌込体を有する側の前記接合された箇所における生地全体の厚みよりも厚いことを特徴とするものである。
【００２４】
本発明の伸縮性スポーツウェアによれば、右側及び左側の生地を引っ張りながら近付けた後、該生地を上下に大きくずらすことなく、嵌込体を開離嵌挿具の側部からそのまま嵌め込むことができる。したがって、着用者は当該スポーツウェアを容易に着用できる。また、枢止体を有する側の身頃を構成する生地と基材テープとが接合された箇所における生地全体の厚みが、嵌込体を有する側の接合された箇所における生地全体の厚みよりも厚いことから、スライドファスナーの受け側に相当する枢止体を確実に手で支えることができる。この構成により、スライドファスナーを安定した状態で着止することが可能となる。すなわち、本発明の伸縮性スポーツウェアを用いることで、着用者の幅広い動きや機敏な動きに対する追随性が向上し、着用者のプレーパフォーマンスが著しく向上することが期待できる。
【００２５】
本発明の伸縮性スポーツウェアは、上半身に着用するスポーツウェアであり、該スポーツウェアは、伸縮性を有する生地からなるものであれば特に限定されない。例えば、水着、エアロビクス用ウェア、ダイビング用ウェア、スキー用ウェア等のスポーツウェアの上衣に適用することができる。以下、本発明をセパレートタイプの水着の上衣に採用した場合を例にして説明する。
【００２６】
図１は、本発明の実施の形態１に係る上半身に着用するセパレートタイプの水着を示したものである。水着の上衣１の身頃２の前身頃において、上衣１の上端から下端にかけてスライドファスナー３が装着されている。なお、図１では、該スライドファスナー３が上半身部の前方側を開放できるように前身頃に形成されている場合を示しているが、該スライドファスナーの形成箇所は前身頃に限定されない。例えば、後ろ身頃や身頃の側部に形成することも可能である。
【００２７】
なお、上衣１は、ユーザの幅広い動きや機敏な動きに対する高い追随性を有し、着用者に高いパフォーマンスを発揮させることができるように、伸縮性を有する生地から構成されている。当該生地の素材として、例えばポリエステル、ナイロンやポリウレタン等が用いられる。
【００２８】
図２は、本発明の実施の形態１に係る水着の上衣１のスライドファスナー３を示す図である。
【００２９】
スライドファスナー３は、右側基材テープ４、該右側基材テープに設けられた右側エレメント列５、左側基材テープ６、該左側基材テープに設けられた左側エレメント列７、スライダー、及び開離嵌挿具８を含んでいる。
【００３０】
右側基材テープ４及び左側基材テープ６は、対向する側縁に芯紐部９を有しており、該右側基材テープ４、該左側基材テープ６の芯紐部９を含むエレメント取り付け縁部に沿って、複数のエレメント１０が一定の間隔をおいて列設されて右側エレメント列５及び左側エレメント列７が形成されている。基材テープの材質は、合成樹脂材料を用いることが一般的であり、具体的にはポリエステルテープを用いることができる。
【００３１】
開離嵌挿具８は、右側基材テープ４または左側基材テープ６の下端に設けられた嵌込体１１と、左側基材テープ６または右側基材テープ４の下端に設けられた枢止体１２を有しており、さらに、嵌込体１１は円柱形の被枢止部１３を有している。開離嵌挿具８の構成により、枢止体１２は、嵌込体１１の被枢止部１３を嵌挿または脱離させることができる。
【００３２】
嵌込体１１は、右側基材テープ４または左側基材テープ６、つまり、開離嵌挿具８が取付けられた側とは反対側の表裏両面に一体に形成された薄板状の嵌込板部１４と、該嵌込板部１４の基材テープの端部側先端部に形成された被枢止部１３と、嵌込板部１４の基材テープ内側側縁に沿って形成された突状部１５と、嵌込板部１４の前端部に右側エレメント列５または左側エレメント列７に連続して形成された噛合部１６と、嵌込板部１４の芯紐部９に対応する表面及び裏面の部位に形成された窪み部１７とを有している。
【００３３】
なお、エレメント１０は、右側基材テープ４、左側基材テープ６に固定される胴部と、該胴部からテープ外方に向けて延出する頸部と、該頸部の先端に設けられた膨大状の噛合頸部とを有している。具体的には、ポリアセタール等の合成樹脂材料を射出成形することによって右側基材テープ４及び左側基材テープ６に装着したものを用いることができる。
【００３４】
スライダーは、従来から一般的に知られているものを用いることができるため図示しないが、具体的には、柱、胴体、引手から構成されており、該胴体には、ファスナーを開閉するときにエレメント１０を噛み合せたり離したりする案内通路が形成されている。つまり、右側エレメント列５及び左側エレメント列７は、該案内通路を介してスライダーに挿通される。スライダーの材質は、銅合金や亜鉛合金等の金属材料やナイロン樹脂やＰＢＴ（ポリブチレンテレフタレート）樹脂等の合成樹脂材料を用いることができる。
【００３５】
突状部１５は、嵌込板部１４よりも厚肉に形成されている。このような厚肉の突状部１５が基材テープ内側側縁に沿って形成されていることにより、嵌込体１１の強度を向上させることができ、さらに、開離嵌挿具８を操作する着用者に対して嵌込体１１を把持しやすくさせることができる。
【００３６】
窪み部１７は、嵌込体１１を安定して成形でき、かつ、嵌込板部１４を平坦に形成するために、芯紐部９に対応する位置に形成されている。つまり、基材テープの芯紐部９は該基材テープよりも厚肉であるために、芯紐部９が形成されている部位に合成樹脂を成形して平坦な嵌込板部１４を形成すると、芯紐部９上に形成した部分の嵌込板部１４の肉厚が非常に薄くなる。このように嵌込板部１４の肉厚が局部的に薄くなると、例えば嵌込体１１の射出成形時に嵌込板部１４の薄肉部分において樹脂の流動性が悪くなることや、強度が十分に得られなくなること等の不具合が生じることが考えられる。しかしながら、窪み部１７を形成することにより、嵌込板部１４に形成される薄肉部分が減少するために、上記のような不具合が生じることを効果的に防ぐことができる。
【００３７】
枢止体１２は、枢止部１８の他に右側基材テープ４または左側基材テープ６の表裏両面に一体に形成されたスライダー保持部１９を有し、該枢止部１８は、嵌込体１１の被枢止部１３をある程度回転自在に受け入れ可能な略Ｊ字状構造物２０と枢動空間２１とを有している。
【００３８】
なお、着用者は、開離嵌挿操作を任意に選択することができる。すなわち、被枢止部１３は、嵌込板部１４の延端部に該嵌込板部１４の表裏面から突設された円柱形状の枢軸１３ａを有していることから、横からの挿入による嵌挿操作を行うことができる。つまり、被枢止部１３を枢止体１２の側部から枢止部１８に安定して嵌め込んで嵌挿することができ、枢軸１３ａを中心に嵌込体１１を枢止体１２に向けて円滑に回動させることができる。また、横からの挿入による嵌挿操作とは別に、嵌込体１１を枢止体１２に向けて上から下方への挿入による嵌挿操作を行うこともできる。つまり、被枢止部１３をスライダー内に通過させて枢止部１８に安定して挿入し、嵌挿させることができる。
【００３９】
なお、スライダー保持部１９の嵌込板部１４の対向側面に嵌込板部嵌合凹溝２２が形成されており、さらには、枢止部１８の略Ｊ字状構造物２０の一部にも嵌込板部嵌合凹溝２２が形成されている。これにより、嵌込体１１を枢止体１２に嵌挿させる際には、嵌込板部嵌合凹溝２２に嵌込体１１の嵌込板部１４を嵌合させることにより、該嵌込板部１４を枢止体１２の所定の位置に安定して案内することができ、また、スライドファスナー３を閉鎖させた際には、嵌込体１１と枢止体１２の嵌挿状態を安定させることができる。本発明の実施の形態１において、嵌込板部嵌合凹溝２２は、スライダー保持部１９の嵌込板部１４の対向側面、及び枢止部１８の略Ｊ字状構造物２０の一部に連続的に形成されていても、あるいは、間欠的に形成されていても良い。
【００４０】
さらに、枢止部１８の略Ｊ字状構造物２０から外周面に貫通させてなるスリット２３が形成されていることにより、嵌込体１１を枢止体１２の側部から嵌め込んで嵌挿する際に、嵌込体１１と枢止体１２とが互いに干渉することを防いで、開離嵌挿具８の嵌挿操作を円滑に行うことができる。
【００４１】
一方、閉鎖させた状態のスライドファスナー３を開離させる場合には、被枢止部１３を枢止体１２の側部から開離すること、あるいは、被枢止部１３をスライダーのエレメント案内路を通過させて開離することの異なる２種類の操作により行うことができる。
【００４２】
上記のスライドファスナー３の構成により、着用者が該スライドファスナー３を開閉させる際に、二通りの開離嵌挿操作を任意に選択することができるため、開離嵌挿具８の使いやすさが大幅に向上する。よって、本発明の伸縮性スポーツウェアは、右側及び左側の生地を引っ張りながら近付けた後、上下にずらすことなく側部からそのまま嵌め込むことも可能であることから、着用者は当該スポーツウェアを容易に着用できる。
【００４３】
なお、嵌込体１１と枢止体１２の設置箇所については、互いに基材テープの左右対称となれば問題なく、例えば、嵌込体１１が左側基材テープ６の下端に設けられた場合には、枢止体１２は右側基材テープ４の下端に設けられることになる。具体的には、右利きの人が使用する際の利便性を考えた場合、嵌込体１１は右側基材テープ４の下端、枢止体１２は左側基材テープ６の下端に設けることが好ましい。
【００４４】
図３は、本発明の実施の形態１に係る水着の身頃を構成する生地と基材テープとの接合箇所における断面図を示したものである。
【００４５】
身頃２を構成する右側の生地２４は右側基材テープ４、左側の生地２４は左側基材テープ６とそれぞれ接合されている。枢止体１２を有する側の接合された箇所における生地全体の厚みｔ１（生地２４の４枚分＋基材テープ６）は、嵌込体１１を有する側の接合された箇所における生地全体の厚みｔ２（生地２４の２枚分＋基材テープ４）よりも厚くなるように形成されている。この構成を用いることにより、枢止体１２を安定した状態で、手で支えることができる。この構成により、スライドファスナーを安定した状態で着止することが可能となる。また、本発明の伸縮性スポーツウェアを用いることで、着用者の幅広い動きや機敏な動きに対する追随性が向上し、着用者のプレーパフォーマンスが著しく向上することが期待できる。
【００４６】
なお、本発明の実施の形態１においては、生地２４と右側基材テープ４及び左側基材テープ６との接合形態について特に限定するものではないが、着用者の幅広い動きや機敏な動きに際する負荷に耐えられるように、縫製を行うことが好ましい。
【００４７】
本発明の実施の形態１において、スライドファスナー３の安定した操作を維持することを考慮して、右側基材テープ４及び左側基材テープ６は、身頃２を構成する生地１５よりも伸縮率が小さいことが好ましい。
【００４８】
また、上記の伸縮率と同様に、右側基材テープ４及び左側基材テープ６は、身頃２を構成する生地２４よりも剛性が高いことが好ましい。
【００４９】
図４は、本発明の実施の形態１に係る水着の上衣における当て布を示したものである。
【００５０】
本発明の実施の形態１において、スライドファスナー３が形成された身頃２からなる上衣１を着用者が着用した際に、当該スライドファスナー３が直接着用者の皮膚に触れて不快な状態となることを考慮して、枢止体１２を有する側に帯状の当て布２５が形成されていることが好ましい。また、当該当て布２５は、水中等での使用環境において安定な状態を保持することを考慮して、生地２４を少なくとも袋状に二回折り返す構成を有することが好ましい。
【００５１】
なお、当て布２５は、スライドファスナー３が直接着用者の皮膚に触れないように構成するものであるが、該当て布２５の帯状の幅や長さは特に限定されない。具体的には、着用者の着心地を良くする観点から、当該当て布２５は、右側基材テープ４及び左側基材テープ６の幅よりも十分に長い幅を有し、かつ、前身頃に相当する長さを有することが好ましい。
【００５２】
図５は、本発明の実施の形態１に係る水着の上衣のスライドファスナー３における開離嵌挿具８の下端、及び生地２４の下端を示したものである。
【００５３】
本発明の実施の形態１において、スライドファスナー３のスムーズな操作と、右側基材テープ４、左側基材テープ６の安定した状態を維持することを考慮して、開離嵌挿具８の下端２６は、右側基材テープ４及び左側基材テープ６の下端２７に対して下に突出した状態で構成され、かつ、右側基材テープ４、左側基材テープ６に縫い付けてある生地２４の下端２８は、本発明の実施の形態１において、開離嵌挿具８の下端２６に対して下に突出した状態で構成されていることが好ましい。
【００５４】
（実施の形態２）
本発明のスライドファスナーは、伸縮性スポーツウェアの上衣に適用できるだけでなく、他の衣類や、衣類以外の用途（例えば、靴、鞄、財布等の小物、各種包装資材）にも適用が可能である。
【００５５】
本発明のスライドファスナーは、右側基材テープ、該右側基材テープに設けられた右側エレメント列、左側基材テープ、該左側基材テープに設けられた左側エレメント列、スライダー、及び開離嵌挿具を含み、前記右側エレメント列及び前記左側エレメント列は、前記スライダーに挿通され、前記開離嵌挿具は、右側または左側基材テープに設けられた嵌込体、及び左側または右側基材テープに設けられた枢止体を有し、前記嵌込体は円柱形の被枢止部を有し、前記枢止体は、前記嵌込体の被枢止部を嵌挿または脱離可能とし、さらに、前記枢止体は、少なくとも短側部、該短側部と連続する底部、該底部と連続する長側部、及び短側部上端と該短側部上端に最も近い長側部との間に形成される開口を有し、該開口の幅は、底部方向に向かって広くなる区間を有することを特徴とするものである。
【００５６】
本発明のスライドファスナーによれば、少なくとも短側部、該短側部と連続する底部、該底部と連続する長側部、及び短側部上端と該短側部上端に最も近い長側部との間に形成される開口を有し、該開口の幅は、底部方向に向かって広くなる区間を有することから、円柱形の被枢止部が一旦枢止体に嵌挿されると、該被枢止部は該枢止体から外れにくく、安定した嵌挿状態を保つことができる。すなわち、本発明のスライドファスナーを用いることで、小さな子供や高齢者でも非常に簡単に操作することが可能であり、安心して該スライドファスナーを使用することが期待できる。
【００５７】
図６に、本発明の実施の形態２に係るスライドファスナーにおける開離嵌挿具の枢止体１２を示す。実施の形態２におけるスライドファスナーの構成は、実施の形態１で記載した構成と概ね同様であるが、開離嵌挿具の枢止体１２の構成において、特定の構成を適用した点に特徴がある。
【００５８】
本発明のスライドファスナーにおける開離嵌挿具の枢止体１２は、少なくとも短側部２９、該短側部２９と連続する底部３０、該底部３０と連続する長側部３１、及び短側部上端と該短側部上端に最も近い長側部との間に形成される開口３２を有し、該開口３２の幅は、底部方向に向かって広くなる区間Ａを有している。この構成を用いることにより、円柱形の被枢止部が、一度枢止体１２に嵌挿されると、該被枢止部は該枢止体１２から外れてしまうことがなく、安定した嵌挿状態を保つことができる。
【００５９】
本発明の実施の形態２において、該被枢止部が該枢止体１２から外れにくくすることを考慮して、枢止体１２の開口３２の幅は、少なくとも被枢止部の円柱形断面の外径に対して０．８倍から１倍であることが好ましい。
【００６０】
また、本発明の実施の形態２において、着用者の取り扱いの利便性や嵌挿状態の確実性を考慮して、被枢止部と枢止体１２には、それぞれ極性の異なる磁石を含むことが好ましい。なお、磁石の設置箇所について特に限定されないが、磁石による接合性の観点から、スライダー保持部の嵌込板部の対向側面に形成された嵌込板部嵌合凹溝と、枢止部の略Ｊ字状内面に形成された嵌込板部嵌合凹溝に連続的に設置されていることが好ましい。
【００６１】
着用者は、実施の形態１と同様に、開離嵌挿操作を任意に選択することができる。すなわち、被枢止部は、嵌込板部の延端部に該嵌込板部の表裏面から突設された円柱形状の枢軸を有していることから、横からの挿入による嵌挿操作を行うことができる。つまり、被枢止部を枢止体１２の側部から枢止部に安定して嵌め込んで嵌挿することができ、枢軸を中心に嵌込体を枢止体１２に向けて円滑に回動させることができる。また、横からの挿入による嵌挿操作とは別に、嵌込体を枢止体１２に向けて上から下方への挿入による嵌挿操作を行うこともできる。つまり、被枢止部をスライダー内に通過させて枢止部に安定して挿入し、嵌挿させることができる。
【００６２】
一方、閉鎖させた状態のスライドファスナーを開離させる場合には、被枢止部を枢止体１２の側部から開離すること、あるいは、被枢止部をスライダーのエレメント案内路を通過させて開離することの異なる２種類の操作により行うことができる。
【００６３】
本発明はもとより上記実施形態によって制限を受けるものではなく、本発明の趣旨に適合し得る範囲で適当に変更を加えて実施することも勿論可能であり、それらはいずれも本発明の技術的範囲に包含される。
【符号の説明】
【００６４】
１  上衣
２  身頃
３  スライドファスナー
４  右側基材テープ
５  右側エレメント列
６  左側基材テープ
７  左側エレメント列
８  開離嵌挿具
９  芯紐部
１０  エレメント
１１  嵌込体
１２  枢止体
１３  被枢止部
１３ａ  枢軸
１４  嵌込板部
１５  突状部
１６  噛合部
１７  窪み部
１８  枢止部
１９  スライダー保持部
２０  略Ｊ字状構造物
２１  枢動空間
２２  嵌込板部嵌合凹溝
２３  スリット
２４  生地
２５  当て布
２６  開離嵌挿具の下端
２７  基材テープの下端
２８  基材テープに縫い付けてある生地の下端
２９  短側部
３０  底部
３１  長側部
３２  開口
Ａ  区間
ｔ１  枢止体１２を有する側の接合された箇所における生地全体の厚み
ｔ２  嵌込体１１を有する側の接合された箇所における生地全体の厚み
【図１】
2016123783.tif 000003
【図２】
2016123783.tif 000004
【図５】
2016123783.tif 000005
【図６】
2016123783.tif 000006
【図３】
2016123783.tif 000007
【図４】
2016123783.tif 000008